(57)【要約】【課題】初めて装填された光ディスクであってもディスク解析時間を短縮することができる光ディスク再生装置および光ディスク再生方法を提供する。【解決手段】本発明に係る光ディスク再生装置は、Ｕｎｉｖｅｒｓａｌ  Ｄｉｓｋ  Ｆｏｒｍａｔで記録された光ディスクが装填されると、光ディスクから読み出された信号から仮想割付テーブルを取得するＶＡＴ取得部３１と、仮想割付テーブルの情報を記憶媒体に記憶させるＶＡＴ書き込み部３２と、記憶媒体に記憶された仮想割付テーブルの情報を用いて光ディスクに記録されたディレクトリおよびファイルの階層構造を解析するディスク解析部３４と、を備え、記憶媒体にコピーした仮想割付テーブルの情報を用いて光ディスクに記録されたディレクトリおよびファイルの階層構造および内容を解析することにより、従来の技術に比べ光ヘッドの移動量を削減可能に構成されたものである。【選択図】  図２
2010272158.tif 000002
【特許請求の範囲】
【請求項１】
Ｕｎｉｖｅｒｓａｌ  Ｄｉｓｋ  Ｆｏｒｍａｔで記録された光ディスクが装填されると、前記光ディスクから読み出された信号から仮想割付テーブルを取得するＶＡＴ取得部と、
前記仮想割付テーブルの情報を記憶媒体に記憶させるＶＡＴ書き込み部と、
前記記憶媒体に記憶された前記仮想割付テーブルの情報を用いて、前記光ディスクに記録されたディレクトリおよびファイルの階層構造を解析するディスク解析部と、
を備えたことを特徴とする光ディスク再生装置。
【請求項２】
前記記憶媒体に記憶された前記仮想割付テーブルを、論理ブロック番号で昇順または降順に並び替えるＶＡＴソート部、
をさらに備え、
前記ディスク解析部は、
前記ＶＡＴソート部によって並び替えられた前記記憶媒体に記憶された前記仮想割付テーブルの情報を用いて、前記光ディスクに記録されたディレクトリおよびファイルの階層構造を解析する、
請求項１記載の光ディスク再生装置。
【請求項３】
Ｕｎｉｖｅｒｓａｌ  Ｄｉｓｋ  Ｆｏｒｍａｔで記録された光ディスクを装填するステップと、
前記光ディスクから読み出された信号から仮想割付テーブルを取得するステップと、
前記仮想割付テーブルの情報を記憶媒体に記憶させるステップと、
前記記憶媒体に記憶された前記仮想割付テーブルの情報を用いて、前記光ディスクに記録されたディレクトリおよびファイルの階層構造を解析するステップと、
を有することを特徴とする光ディスク再生方法。
【請求項４】
前記記憶媒体に記憶された前記仮想割付テーブルを、論理ブロック番号で昇順または降順に並び替えるステップ、
をさらに備え、
前記ディレクトリおよびファイルを解析するステップは、
前記前記記憶媒体に記憶された前記仮想割付テーブルを論理ブロック番号で昇順または降順に並び替えるステップによって並び替えられた前記記憶媒体に記憶された前記仮想割付テーブルの情報を用いて、前記光ディスクに記録されたディレクトリおよびファイルの階層構造を解析するステップである、
請求項３記載の光ディスク再生方法。
【発明の詳細な説明】
【技術分野】
【０００１】
本発明は、光ディスクのディスク解析を行う光ディスク再生装置および光ディスク再生方法に関する。
【背景技術】
【０００２】
最近、ＣＤ−Ｒ／ＲＷなどの光ディスクの記録フォーマットとしてＵＤＦ（Universal Disk Format）形式が利用されるようになってきた。ＵＤＦの記録フォーマットは、光学式記録メディアの業界団体であるＯＳＴＡ（Optical Storage Technology Association）によって策定された光ディスクのフォーマットのひとつであり、オペレーティングシステムに依存しないファイルフォーマットである。
【０００３】
ＵＤＦで記録されたディスクのディスク解析は、ディスク上に散在する記述子（Descriptor）を順にたどりながら行う必要がある。このため、ＵＤＦで記録されたディスクは、ＩＳＯ９６６０で記録されたディスクに比べ、ディスク解析に多くの時間を必要としてしまう。
【０００４】
従来、この種のＵＤＦで記録された光ディスクのディスク解析時間を短縮する技術に、特開２００７−５８９８７号公報（特許文献１）に開示された技術がある。
【０００５】
この特許文献１に開示された光ディスク再生装置は、光ディスクから読み出された信号から光ディスクのボリュームラベル、タイムスタンプ、ルートディレクトリのファイルエントリ（以下、ＦＥ（File Entry）という）およびＶＡＴ（仮想割付テーブル、Virtual Allocation Table）中のＬＢＮ（Logical Block Number）を不揮発性メモリに記録させる解析用必要データ抽出ユニットを備え、不揮発性メモリに記録されたこれらの解析用必要データを次回のディスク解析時に使用することにより、２度目以降のディスク解析の際の解析時間を短縮することができるようになっている。
【先行技術文献】
【特許文献】
【０００６】
【特許文献１】特開２００７−５８９８７号公報
【発明の概要】
【発明が解決しようとする課題】
【０００７】
しかし、従来の技術では、ＵＤＦで記録された光ディスクが初めて光ディスク再生装置に装填された際には光ディスクのディスク解析時間を短縮することはできない。また、光ディスク再生装置に装填されるそれぞれの光ディスクに対して解析用必要データを記憶しておかなくてはならず、装填される光ディスクの数が増えると、必要となる記憶領域も増えてしまう。
【０００８】
本発明は、上述した事情を考慮してなされたもので、初めて装填された光ディスクであってもディスク解析時間を短縮することができる光ディスク再生装置および光ディスク再生方法を提供することを目的とする。
【課題を解決するための手段】
【０００９】
本発明に係る光ディスク再生装置は、上述した課題を解決するために、Ｕｎｉｖｅｒｓａｌ  Ｄｉｓｋ  Ｆｏｒｍａｔで記録された光ディスクが装填されると、前記光ディスクから読み出された信号から仮想割付テーブルを取得するＶＡＴ取得部と、前記仮想割付テーブルの情報を記憶媒体に記憶させるＶＡＴ書き込み部と、前記記憶媒体に記憶された前記仮想割付テーブルの情報を用いて、前記光ディスクに記録されたディレクトリおよびファイルの階層構造を解析するディスク解析部と、を備えたことを特徴とするものである。
【００１０】
一方、本発明に係る光ディスク再生方法は、上述した課題を解決するために、Ｕｎｉｖｅｒｓａｌ  Ｄｉｓｋ  Ｆｏｒｍａｔで記録された光ディスクを装填するステップと、前記光ディスクから読み出された信号から仮想割付テーブルを取得するステップと、前記仮想割付テーブルの情報を記憶媒体に記憶させるステップと、前記記憶媒体に記憶された前記仮想割付テーブルの情報を用いて、前記光ディスクに記録されたディレクトリおよびファイルの階層構造を解析するステップと、を有することを特徴とする方法である。
【発明の効果】
【００１１】
本発明に係る光ディスク再生装置および光ディスク再生方法によれば、初めて装填された光ディスクであってもディスク解析時間を短縮することができる。
【図面の簡単な説明】
【００１２】
【図１】本発明に係る光ディスク再生装置の一実施形態を示す概略的なブロック図。
【図２】主制御部のＣＰＵによる機能実現部の構成例を示す概略的なブロック図。
【図３】光ディスクのデータ構造の一例を示す説明図。
【図４】ディスク解析の手順の一例を示す説明図。
【図５】ＶＡＴの情報の一例を示す説明図。
【図６】従来のディスク解析における光ヘッドの移動の様子の一例を示す説明図。
【図７】本実施形態に係る光ディスク再生装置によるディスク解析における光ヘッドの移動の様子の一例を示す説明図。
【図８】ＲＡＭの所要のワークエリアに記憶されたＶＡＴを論理ブロック番号で並び替えた様子の一例を示す説明図。
【図９】本実施形態に係る光ディスク再生装置によるディスク解析における光ヘッドの移動の様子の他の一例を示す説明図。
【図１０】図１に示す光ディスク再生装置の主制御部により、ＶＡＴをＲＡＭの所要のワークエリアにコピーし、このコピーしたＶＡＴを用いてディスク解析を行うことにより、初めて装填された光ディスクであってもディスク解析時間を短縮するための処理を実行する際の手順を示すフローチャート。
【発明を実施するための形態】
【００１３】
本発明に係る光ディスク再生装置および光ディスク再生方法の実施の形態について、添付図面を参照して説明する。
【００１４】
図１は、本発明に係る光ディスク再生装置の一実施形態を示す概略的なブロック図である。なお、本発明は、ＵＤＦで記録されＶＡＴ（仮想割付テーブル、Virtual Allocation Table）を有する光ディスクを再生可能な電子機器に適用することができる。この種の光ディスクとしては、ＣＤ−Ｒ／ＲＷ／ＲＡＭ／ＲＯＭやＤＶＤ−Ｒ／ＲＷ／ＲＡＭ／ＲＯＭなど種々のものを利用することができる。
【００１５】
図１に示すように、光ディスク再生装置１０は、ピックアップ部１１、ピックアップ制御部２０、主制御部３０、表示部４０およびネットワーク接続部５０を有する。
【００１６】
ピックアップ部１１は、光ディスク１にレーザを集光する対物レンズ１２と、光ディスク１の記録面に対して垂直（厚さ）方向（フォーカス方向）および水平（半径）方向（トラッキング方向）に対物レンズ１２を移動させる対物レンズ移動部１３と、光ディスク１の反射光を検出しこの反射光に応じた出力を行う反射光検出部１４と、を少なくとも有する。対物レンズ移動部１３は、ピックアップ制御部２０により制御される。この対物レンズ移動部１３は、対物レンズ１２の移動に磁力を用いる場合、コイルやマグネットにより構成することができる。
【００１７】
反射光検出部１４は、光ディスク１の反射光を受光可能な位置に一面に並べられた複数の光検出セル（フォトダイオードなど）により構成される。この光検出セルは、光ディスク１の記録面によるレーザ反射光をそれぞれの位置で受光し、受光した光の強度に応じた出力をそれぞれ行う。
【００１８】
ピックアップ制御部２０は、光ディスク１の記録面によるレーザ反射光の情報を反射光検出部１４から受けてフォーカスエラー（ＦＥ）信号およびトラッキングエラー（ＴＥ）信号を生成し、光ディスク１に集光されるレーザがジャストフォーカス（記録面にレーザの焦点があった状態）およびジャストトラック（レーザがトラック中心に位置した状態）の位置となるよう対物レンズ１２を移動させるように対物レンズ移動部１３を制御する。
【００１９】
データ再生回路２１は、ＰＬＬ（Phase Locked Loop）制御回路２２から受けた再生用クロック信号にもとづき、光ディスク１の記録データを再生する。
【００２０】
主制御部３０は、ＣＰＵ、ＲＡＭおよびＲＯＭをはじめとする記憶媒体などにより構成され、この記憶媒体に記憶されたプログラムに従って、光ディスク再生装置１０の処理動作を制御する。
【００２１】
主制御部３０のＣＰＵは、ＲＯＭをはじめとする記憶媒体に記憶されたディスク解析時間短縮プログラムおよびこのプログラムの実行のために必要なデータをＲＡＭへロードし、このプログラムに従って、ＶＡＴをＲＡＭの所要のワークエリアにコピーし、このコピーしたＶＡＴを用いてディスク解析を行うことにより、初めて装填された光ディスクであってもディスク解析時間を短縮するための処理を実行する。
【００２２】
主制御部３０のＲＡＭは、ＣＰＵが実行するプログラムおよびデータを一時的に格納するワークエリアを提供する。
【００２３】
主制御部３０のＲＯＭをはじめとする記憶媒体は、光ディスク再生装置１０の起動プログラム、ディスク解析時間短縮プログラムや、これらのプログラムを実行するために必要な各種データを記憶する。
【００２４】
なお、ＲＯＭをはじめとする記憶媒体は、磁気的もしくは光学的記録媒体または半導体メモリなどの、ＣＰＵにより読み取り可能な記録媒体を含んだ構成を有し、これら記憶媒体内のプログラムおよびデータの一部または全部は電子ネットワークを介してダウンロードされるように構成してもよい。
【００２５】
表示部４０は、たとえば液晶ディスプレイやＯＬＥＤ（Organic Light Emitting Diode）ディスプレイなどの一般的な表示出力装置により構成され、主制御部３０の制御に従って光ディスク再生装置１０の動作状態を表示する。
【００２６】
ネットワーク接続部５０は、ネットワークの形態に応じた種々の情報通信用プロトコルを実装する。ネットワーク接続部５０は、この各種プロトコルに従って光ディスク再生装置１０と他の電気機器とを接続する。この接続には、電子ネットワークを介した電気的な接続などを適用することができる。ここで電子ネットワークとは、電気通信技術を利用した情報通信網全般を意味し、無線／有線ＬＡＮ（Local Area Network）やインターネット網のほか、電話通信回線網、光ファイバ通信ネットワーク、ケーブル通信ネットワークおよび衛星通信ネットワークなどを含む。
【００２７】
図２は、主制御部３０のＣＰＵによる機能実現部の構成例を示す概略的なブロック図である。なお、この機能実現部は、ＣＰＵを用いることなく回路などのハードウエアロジックによって構成してもよい。
【００２８】
図２に示すように、主制御部３０のＣＰＵは、ディスク解析時間短縮プログラムによって、少なくともＶＡＴ取得部３１、ＶＡＴ書き込み部３２、ＶＡＴソート部３３およびディスク解析部３４として機能する。この各部３１〜３４は、ＲＡＭの所要のワークエリアを、データの一時的な格納場所として利用する。
【００２９】
ＶＡＴ取得部３１は、ＵＤＦで記録されＶＡＴを有する光ディスク１が装填されると、光ディスク１から読み出された信号からＶＡＴを取得する。
【００３０】
ＶＡＴ書き込み部３２は、ＶＡＴ取得部３１により取得されたＶＡＴの情報をＲＡＭの所要のワークエリアに記憶させる。
【００３１】
ＶＡＴソート部３３は、ＲＡＭの所要のワークエリアに記憶されたＶＡＴを、論理ブロック番号で昇順または降順に並び替える。
【００３２】
ディスク解析部３４は、ＲＡＭの所要のワークエリアに記憶されたＶＡＴの情報を用いて、光ディスク１に記録されたディレクトリおよびファイルの階層構造および内容を解析する。
【００３３】
ここで、従来のディスク解析と本実施形態に係る光ディスク再生装置１０によるディスク解析の差異について簡単に説明する。
【００３４】
図３は、光ディスクのデータ構造の一例を示す説明図である。また、図４は、ディスク解析の手順の一例を示す説明図である。
【００３５】
図３に示すように、光ディスク１には様々なタグ記述子が散在して記録される。ディスク解析は、図４に示すように、光ディスク１の様々なタグ記述子をたどって行われる。
【００３６】
具体的には、まず、光ディスク１からＡＶＤＰ（Anchor Volume Descriptor Pointer）を取得してＶＤＳ（Volume Descriptor Sequence）の位置を取得する。次に、ＶＤＳ領域内のＰＤ（Partition Descriptor）からパーティション開始アドレスを取得するとともに、ＬＶＤ（Logical Volume Descriptor）からＶＡＴが存在するか否かの情報を取得する。本実施形態ではＶＡＴが存在する場合の例について説明する。
【００３７】
ＶＡＴは、ＵＤＦの仕様によってデータ領域の最終にあることが規定されている。このため、ＶＡＴが存在する場合、ピックアップ部１１の対物レンズ１２（以下、光ヘッドという）を光ディスク１の最終セクタに移動させて論理ブロック番号の後方からＶＡＴの先頭位置を探索する。
【００３８】
図５は、ＶＡＴの情報の一例を示す説明図である。また、図６は、従来のディスク解析における光ヘッドの移動の様子の一例を示す説明図である。
【００３９】
図５に示すように、ＶＡＴには光ディスク１に記録されたデータのうち有効なエントリ位置がテーブル化されている。このため、このテーブルを利用してルートディレクトリの位置を示しているＦＳＤ（File Set Descriptor）を探索する。
【００４０】
ＦＳＤには、ルートディレクトリのファイルエントリ（ＦＥ：File Entry）位置が仮想ブロック番号で示されている。この仮想ブロック番号は、ＶＡＴの仮想割付テーブル番号のインデックス値となり、該当するテーブル番号に記録されている値こそが実際の論理ブロック番号でありエントリ位置となる。以降、ルートディレクトリのＦＥで示されているルートディレクトリ以下の子ディレクトリ／ファイルのエントリ位置を示す情報制御ブロック（ＩＣＢ：Information Control Block）群からディスク内のディレクトリ／ファイル構成の解析をする事が出来る。
【００４１】
ＩＣＢで示される論理ブロック番号は、ＦＳＤでルートディレクトリを示していたものと同様にＶＡＴの仮想割付テーブル番号のインデックス値であり、該当するテーブル位置に記録されている論理ブロック番号が実際のエントリ位置となる。子のエントリ内でもさらに子のディレクトリ／ファイルがＩＣＢで示されている場合には同様にＶＡＴのテーブルを参照して実際のエントリ位置を取得する。
【００４２】
このため、ルートディレクトリから順次ディレクトリおよびファイルの階層構造および内容を取得するためには、ディレクトリおよびファイルのＩＣＢが現れるたびにＶＡＴを参照する必要がある。したがって、従来の技術では、図６に示すように、ＶＡＴからルートディレクトリへのエントリ位置を検出した後も、子ディレクトリ／ファイルへの位置を仮想の論理ブロック番号から実際のエントリ位置へ変換するために、各エントリとＶＡＴ間の光ヘッド移動が頻繁に発生してしまう。
【００４３】
そこで、本実施形態に係る光ディスク再生装置１０は、光ヘッドの移動量を削減するため、ＶＡＴをＲＡＭの所要のワークエリアにコピーし、このコピーしたＶＡＴの情報を用いて光ディスク１に記録されたディレクトリおよびファイルの階層構造および内容を解析する。
【００４４】
図７は、本実施形態に係る光ディスク再生装置１０によるディスク解析における光ヘッドの移動の様子の一例を示す説明図である。
【００４５】
本実施形態に係る光ディスク再生装置１０は、ＲＡＭの所要のワークエリアに記憶されたＶＡＴの情報を用いて、光ディスク１に記録されたディレクトリおよびファイルの階層構造および内容を解析する。このため、図６に示した従来の技術におけるディスク解析に比べ、光ヘッドの移動量を大幅に削減することができる。
【００４６】
図８は、ＲＡＭの所要のワークエリアに記憶されたＶＡＴを論理ブロック番号で並び替えた様子の一例を示す説明図である。また、図９は、本実施形態に係る光ディスク再生装置１０によるディスク解析における光ヘッドの移動の様子の他の一例を示す説明図である。
【００４７】
なお、図８および図９には、ＶＡＴを論理ブロック番号で降順に並び替えた場合の一例を示した。
【００４８】
ＲＡＭの所要のワークエリアに記憶されたＶＡＴを、論理ブロック番号で降順または昇順に並び替えることにより、図９に示すように、ディスク解析における光ヘッドの移動量をさらに削減することが可能である。
【００４９】
次に、本実施形態に係る光ディスク再生装置１０の動作の一例について説明する。
【００５０】
図１０は、図１に示す光ディスク再生装置１０の主制御部３０により、ＶＡＴをＲＡＭの所要のワークエリアにコピーし、このコピーしたＶＡＴを用いてディスク解析を行うことにより、初めて装填された光ディスクであってもディスク解析時間を短縮するための処理を実行する際の手順を示すフローチャートである。図３において、Ｓに数字を付した符号は、フローチャートの各ステップを示す。
【００５１】
この手順は、ＵＤＦで記録されＶＡＴを有する光ディスク１が光ディスク再生装置１０に装填された時点でスタートとなる。
【００５２】
まず、ステップＳ１において、ディスク解析部３４は、装填された光ディスク１がＵＤＦ形式で記録されたディスクである旨の情報を取得する。
【００５３】
次に、ステップＳ２において、ディスク解析部３４は、ＡＶＤＰを解析し、ＶＤＳの位置を示すポインタの情報を取得してＶＤＳの位置を特定する。
【００５４】
次に、ステップＳ３において、ディスク解析部３４は、ＶＤＳを解析し、ＶＤＳ領域内の記述子からＰＤの位置を特定してディスク解析に必要なパーティション開始アドレスを取得する。また、ディスク解析部３４は、ＶＤＳを解析し、ＶＤＳ領域内の記述子からＬＶＤの位置を特定してディスク解析に必要なＶＡＴが存在するか否かの情報を取得する。本実施形態ではＶＡＴが存在する場合の例について説明する。
【００５５】
次に、ステップＳ４において、ＶＡＴ取得部３１は、ＶＡＴの情報を取得する。
【００５６】
次に、ステップＳ５において、ＶＡＴ書き込み部３２は、ＶＡＴ取得部３１により取得されたＶＡＴの情報をＲＡＭの所要のワークエリアに記憶させる。
【００５７】
次に、ステップＳ６において、ＶＡＴソート部３３は、ＲＡＭの所要のワークエリアに記憶されたＶＡＴを、論理ブロック番号で昇順または降順に並び替える。図８および図９には、上述の通り降順に並び替えた場合の例について示した。
【００５８】
なお、降順で並び替える場合、光ヘッドはディスク後方のエントリから前方のエントリに向かって連続的にサーチ動作可能となるが、各エントリの読み込みはディスク前方から後方に向かって行われる。一方、昇順で並び替える場合、光ヘッドは一端ディスク差異前方へ移動する必要があるものの、各エントリの読み込みをディスク前方から後方に向かって行いながら、ディスク前方のエントリから後方のエントリに向かって連続的にサーチ動作可能となる。
【００５９】
次に、ステップＳ７において、ディスク解析部３４は、ＲＡＭの所要のワークエリアに記憶されたＶＡＴの情報を用いて、光ディスク１に記録されたディレクトリおよびファイルの階層構造および内容を解析する。
【００６０】
以上の手順により、ＶＡＴをＲＡＭの所要のワークエリアにコピーし、このコピーしたＶＡＴを用いてディスク解析を行うことにより、初めて装填された光ディスクであってもディスク解析時間を短縮することができる。
【００６１】
本実施形態に係る光ディスク再生装置１０は、光ヘッドの移動量を削減するため、ＶＡＴをＲＡＭの所要のワークエリアにコピーし、このコピーしたＶＡＴの情報を用いて光ディスク１に記録されたディレクトリおよびファイルの階層構造および内容を解析する。一方、従来の技術では、光ディスク１に記録されたＶＡＴを利用してディスク解析を行うため、各エントリ位置とＶＡＴとの間で光ヘッドの移動が多発してしまう。このため、本実施形態に係る光ディスク再生装置１０によれば、従来の技術に比べ、ディスク解析における光ヘッドの移動量を大幅に削減することが可能である。
【００６２】
したがって、本実施形態に係る光ディスク再生装置１０によれば、初めて装填された光ディスクであってもディスク解析に要する時間を大幅に短縮することができる。このため、光ディスク１を光ディスク再生装置１０に装填してから再生が開始可能となるまでの時間を短縮することができる。よって、光ディスク１の記録フォーマットの違いによるファイル解析時間を認識していないユーザに対して、再生開始までの待ち時間が与えるストレスを軽減することができ、ユーザの利便性を向上させることができる。
【００６３】
また、本実施形態に係る光ディスク再生装置１０は、ＲＡＭの所要のワークエリアに記憶されたＶＡＴを、論理ブロック番号で昇順または降順に並び替えることができるようになっている。ＶＡＴを論理ブロック番号で昇順または降順に並び替えることにより、光ヘッドの移動量をさらに削減し、ディスク解析に要する時間をさらに短縮することができる。
【００６４】
さらに、本実施形態に係る光ディスク再生装置１０によれば、ディスク解析にともなう光ヘッドの移動量を大幅に削減することができるため、光ヘッドの消耗劣化を防ぐことができる。
【００６５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【００６６】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【００６７】
１  光ディスク
１０  光ディスク再生装置
１１  ピックアップ部
１２  対物レンズ
１３  対物レンズ移動部
１４  反射光検出部
２０  ピックアップ制御部
２１  データ再生回路
２２  ＰＬＬ制御回路
３０  主制御部
３１  ＶＡＴ取得部
３２  ＶＡＴ書き込み部
３３  ＶＡＴソート部
３４  ディスク解析部
４０  表示部
５０  ネットワーク接続部
【図１】
2010272158.tif 000003
【図２】
2010272158.tif 000004
【図３】
2010272158.tif 000005
【図４】
2010272158.tif 000006
【図５】
2010272158.tif 000007
【図６】
2010272158.tif 000008
【図７】
2010272158.tif 000009
【図８】
2010272158.tif 000010
【図９】
2010272158.tif 000011
【図１０】
2010272158.tif 000012